(57)【要約】      （修正有）【課題】 婦人の基礎体温の管理のみならず、妊娠後の婦人の健康管理を行うことができる婦人健康管理システムの提供。【解決手段】 本発明の婦人健康管理システムは、基礎体温等の記憶部に対し、ｉ−モード機能を備えた携帯端末からインターネットを介してアクセス可能とし、バイオリズム、生理情報等を得ることを可能にした婦人健康管理システムであって、基礎体温が低温相にあるときは、運動、食事等によるダイエット効果がある旨の情報を携帯端末にて得ることを可能にしたことを特徴とする。【選択図】  図１
2005050364.tif 000002
【特許請求の範囲】
【請求項１】
基礎体温等の記憶部に対し、ｉ−モード機能を備えた携帯端末からインターネットを介してアクセス可能とし、バイオリズム、生理情報等を得ることを可能にした婦人健康管理システムであって、
前記基礎体温が低温相にあるときは、運動、食事等によるダイエット効果がある旨の情報を前記携帯端末にて得ることを可能にしたことを特徴とする婦人健康管理システム。
【発明の詳細な説明】
【技術分野】
【０００１】
本発明は、婦人生理情報(当日の排卵日の有無,当日の生理日の有無,次回排卵日,次回生理日等)を記憶・表示するとともに、体重、血圧情報を合わせて記憶・表示することにより妊娠可能後の婦人健康管理を支援するシステムに関する。
【背景技術】
【０００２】
従来、婦人体温計にあっては、婦人生理情報(当日の排卵日の有無,当日の生理日の有無,次回排卵日,次回生理日等)を記憶・表示するという基本機能の他に美容・ダエット情報を表示する機能を有するものが提案されている(特許文献１：特開平１０−８０４２６号公報)。また、当日の運勢、バイオリズム等を表示する機能を有するものが提案されている(特許文献２：特開平１０−１１８０７３号公報)。
【特許文献１】特開平１０−８０４２６号公報
【特許文献２】特開平１０−１１８０７３号公報
【発明の開示】
【発明が解決しようとする課題】
【０００３】
しかしながら、いちいち婦人用体温計を持ち歩かなければ情報を表示確認しなければならないという煩わしさがあった。また、初婚年齢、初産年齢の高齢化にあって、妊娠後の婦人の健康管理を行うにあたって、妊娠が確認されると母子健康手帳が配布されるが、核家族化が著しく、相談する者も殆どなく、１ケ月に１回程度の健康診断では不安感などもあり、妊婦にとって大きな精神的負荷となっていた。
【０００４】
本発明は、上記問題点に鑑みてなされたものであり、通常の婦人基礎体温の管理のみならず、妊娠後の婦人の健康管理を行うことができる婦人健康管理システムを提供することを目的とする。
【課題を解決するための手段】
【０００５】
上記目的を達成するために、本発明の婦人健康管理システムは、基礎体温等の記憶部に対し、ｉ−モード機能を備えた携帯端末からインターネットを介してアクセス可能とし、バイオリズム、生理情報等を得ることを可能にした婦人健康管理システムであって、基礎体温が低温相にあるときは、運動、食事等によるダイエット効果がある旨の情報を携帯端末にて得ることを可能にしたことを特徴とする。
【発明の効果】
【０００６】
本発明の婦人健康管理システムによれば、通常の婦人の生理情報の管理と合わせて妊娠後の健康管理が容易となり、精神的な負荷が軽減される。
【発明を実施するための最良の形態】
【０００７】
以下添付図面を参照して、本発明を好適な実施形態に従って詳細に説明する。図１に本実施形態における婦人健康管理システムの一例を示している。１は婦人健康管理システム、１０は、パーソナル・コンピュータで、ＣＰＵ１０ａ、カラー液晶等で構成される表示部１２、マウス,キーボード,キーパッド等で構成される入力部１３、ＲＡＭ,ＲＯＭ等で構成され基礎体温等のデータを記憶する記憶部１４、基礎体温データ等を基に生理情報(生理日判断,生理日予測,排卵日判断,妊娠の可能性判断,出産予定日予測等)を演算する演算部１５を備えている。
【０００８】
また、１６ａは血圧計、１６ｂは婦人体温計である。なお、婦人体温計１６ｂは、基礎体温等のデータを記憶する記憶部、基礎体温データ等を基に生理情報(生理日判断,生理日予測,排卵日判断妊娠の可能性判断,出産予定日予測等)を演算する演算部を備えたいわゆる高機能婦人体温計であってもよい。
【０００９】
婦人体温計１６ａ,高機能婦人体温計１６ｂ等で得られた基礎体温,生理情報等を外部通信部１１を介して赤外線通信,光通信等の無線またはケーブルを介して有線で行う。このパーソナル・コンピュータ１０は、図３に示すように使用者個人の基礎体温,生理情報等を記憶部１４に記憶し、いずれかの生体情報を選択して図２に示すように表示部１２にトレンド表示可能にして管理するものである。なお、図３は、記憶された全データ及びそれらのトレンド表示の一例を示すものである。
【００１０】
また、３は、病院，保健所等の医療サイト、４は製造メーカー等のホームページ等を含む情報提供サイト、１００はｉ−モード機能等を備えた携帯端末機で、コンピュータ３０，４０を備え、それぞれＣＰＵ３０，４０，１００ａ、外部通信部３１，４１，１０１、表示部３２，４２，１０２、入力部３３，４３，１０３、記憶部３４，４４，１０４、演算部３５，４５，１０５を備えている。
【００１１】
使用者の婦人健康管理システム１、使用者の携帯端末１００、医療サイト３、情報提供サイト(情報提供サーバー)４とは電話回線，インターネット(ブロードバンド通信ネットワーク)，ＬＡＮ等の情報通信ネットワーク２を介して双方向の情報通信が可能となっている。
【００１２】
また、妊娠の可能性ありとの判断がされた後は、出産予定日を演算し、表示部１２で図４のように表示する。また、体重、血圧、胎児の胎動情報の入力を促す表示画面を表示する。入力・記憶された情報は、表示部１２で図４のようにトレンド表示可能とするようになっている。血圧値が、標準値と比較して高くなっている場合、「妊娠中毒の可能性があります」とのアラーム表示を表示部１７で行う(図４(ｃ)参照)。その他、「妊娠した可能性があります」、「妊娠中期(安定期)に入ました」、「妊娠後期に入りました」、「出産予定日が近づいてきました」等の表示を行うようにしている(図４(ａ)〜(ｂ)，(ｄ)〜(ｅ)参照)。
【００１３】
これらの情報は、電話回線，専用回線，ＬＡＮ，インターネット等の情報通信化ネットワークを介して、当該者のＩＤ番号と合わせて医療サイト３に送信するようにして、主治医とコンタクト可能とすることができる。
【００１４】
図４（ｂ）の表示画面で、「食事」をクリック(押す)すると食事についての注意情報が、「運動」をクリック(押す)すると運動についての注意情報が表示される。「メーカー名」表示画面で、クリック(押す)すると該当するメーカーのホームページ(情報提供サイト4)に自動的にアクセスして、記憶部４４にデータベース化された製品情報を知ることができるようにしてもよい。
【００１５】
図４(ｃ)，（ｄ）の表示画面で、「食事」をクリック(押す)すると食事についての注意情報が、「特定保健用食品」をクリック(押す)すると、特定保健用食品についての情報(製品名、小売価格、効果、メーカー名、問合せ先等)が、「栄養機能食品」をクリック(押す)すると、栄養機能食品についての情報(効果、メーカー名、問合せ先等)が、「運動」をクリック(押す)すると運動についての注意情報が表示される。「メーカー名」表示画面で、クリック(押す)すると該当するメーカーのホームページ(情報提供サイト4)に自動的にアクセスして、記憶部４４にデータベース化された製品情報を知ることができるようにしてもよい。
【００１６】
図４(ｅ)の表示画面で、「ベビー体温計」をクリック(押す)するとベビー体温計の情報が、「オムツ」をクリック(押す)するとオムツの情報(製品名、小売価格、メーカー名、問合せ先等)が表示される。ここでもメーカー名」表示画面で、クリック(押す)すると該当するメーカーのホームページ(情報提供サイト4)に自動的にアクセスして、記憶部４４にデータベース化された製品情報を知ることができるようにしてもよい。
【００１７】
また、低温相にあるときは、ダイエットに関する特定保健用食品を検索可能となっている。なお、栄養機能食品情報と合わせて、保健機能食品情報を検索可能としてもよい。
【００１８】
電話回線，インターネット(ブロードバンド通信ネットワーク)，ＬＡＮ等の情報通信ネットワーク２を介して、医療サイト３にアクセスして、携帯端末１００から婦人健康管理システム１または情報提供サイト４にアクセスして、当日のバイオリズム、生理情報、運勢等の情報をえることを可能にしている。また、婦人健康管理システム１または携帯端末１００から、医療サイト２とアクセス可能にし、婦人生理情報、妊娠時の注意情報等を送信可能にすると共に、婦人健康管理システム１及び／または携帯端末１００に小型カメラ等の撮像手段を設けて緊急時等に実画像も合わせた双方向通信を可能にしてもよい。
【図面の簡単な説明】
【００１９】
【図１】本発明の実施形態におけるブロック図である。
【図２】本発明の実施形態における表示例である。
【図３】実施例における妊娠後の記憶、トレンド表示例である。
【図４】実施例におけるアラーム等の表示例である。
【符号の説明】
【００２０】
1…婦人健康管理システム、１０…パーソナルコンピュータ、１６…電子体温計、１０ａ…ＣＰＵ、１１…外部通信部、１２…表示部、１３…入力部、１４…記憶部、１５…演算部、１６ａ…血圧計、１６ｂ…婦人体温計
【図１】
2005050364.tif 000003
【図２】
2005050364.tif 000004
【図３】
2005050364.tif 000005
【図４】
2005050364.tif 000006